(57)【特許請求の範囲】
【請求項１】
携帯端末から受信したクーポンＩＤであって特典内容が確定していない電子クーポンを識別するクーポンＩＤを含む特典内容確定要求を、クーポン管理サーバに送信するとともに、前記電子クーポンの確定された前記特典内容を示す情報を受信し、受信した前記電子クーポンの確定された特典内容を示す情報を処理するクーポン処理端末と、
前記電子クーポンの前記特典内容を示す情報の確定に用いられる環境情報が記憶される環境情報記憶部と、
前記環境情報に対する問合せ要求に基づいて、前記環境情報記憶部から前記環境情報を読出して送信する情報取得部と、
を備える情報サーバと、
前記環境情報の問合せ要求が含まれ、前記電子クーポンの前記特典内容を示す情報を確定する処理を示す処理手順情報を、前記クーポンＩＤに対応付けて予め記憶する処理手順記憶部と、
前記環境情報を、前記電子クーポンの前記特典内容を示す情報に対応付けて記憶する特典内容記憶部と、
前記クーポン処理端末から受信する前記特典内容確定要求に含まれる前記クーポンＩＤに対応する前記処理手順情報を前記処理手順記憶部から読み出す処理手順選択部と、
前記処理手順選択部が読み出した前記処理手順情報に基づいて、前記情報サーバに前記環境情報の問合せ要求を送信して前記環境情報を受信し、該送信した問合せ要求の応答として前記情報サーバから受信した前記環境情報に対応する前記電子クーポンの特典内容を示す情報を前記特典内容記憶部から読み出して確定し、該確定した特典内容を示す情報を前記クーポン処理端末に送信する選択手順実行部と、
を備えるクーポン管理サーバと、
を備えることを特徴とする電子クーポン決済システム。
【請求項２】
前記電子クーポンの特典内容を示す情報は、
商品購入の際の購入金額の割引率を示す情報である、
又は、該電子クーポンに関連する新たな前記電子クーポンの配布を示す情報である、
ことを特徴とする請求項１に記載の電子クーポン決済システム。
【請求項３】
前記環境情報は、
前記クーポン処理端末が設置されている地域の気象情報であり、
前記クーポン管理サーバは、
前記クーポン処理端末を一意に識別する情報端末ＩＤと、当該情報端末ＩＤで示されるクーポン処理端末が設置されている地域情報とが対応付けられて記憶される情報端末所在記憶部、
を備え、
前記環境情報記憶部には、
前記地域情報と、前記地域情報で示される地域の気象情報とが対応付けられて記憶され、
前記処理手順情報は、
前記選択手順実行部が、前記クーポン処理端末から受信する前記情報端末ＩＤに対応する前記地域情報を前記情報端末所在記憶部から読出し、読み出した前記地域情報の前記気象情報を情報サーバに問合せ要求を送信し、該送信した問合せ要求の応答として前記情報サーバから受信した前記気象情報に対応する前記電子クーポンの前記特典内容を示す情報を前記特典内容記憶部から読み出して、前記電子クーポンの前記特典内容を示す情報を確定する手順を示す情報である、
ことを特徴とする請求項１又は請求項２に記載の電子クーポン決済システム。
【請求項４】
前記環境情報は、
前記携帯端末ＩＤに予め関連付けられた試合の勝敗情報であり、
前記環境情報記憶部には、
前記携帯端末ＩＤと、前記勝敗情報とが対応付けられて記憶され、
前記処理手順情報は、
前記選択手順実行部が、前記携帯端末ＩＤに対応する前記勝敗情報を情報サーバに問合せ要求を送信し、該送信した問合せ要求の応答として前記情報サーバから受信した前記勝敗情報に対応する前記電子クーポンの特典内容を示す情報を前記特典内容記憶部から読み出して、前記電子クーポンの特典内容を示す情報を確定する手順を示す情報である、
ことを特徴とする請求項１又は請求項２に記載の電子クーポン決済システム。
【請求項５】
前記環境情報は、
無作為に割当てられる当選か否かを示す当選情報であり、
前記環境情報記憶部には、
前記当選情報に対する問合せ要求数、及び前記問合せ要求の応答として送信した当選情報が当選率を示す情報として記憶され、
前記情報取得部は、更に、
前記環境情報記憶部から読み出した前記当選率を示す情報に基づいて、当選か否かを割当てる演算を行い、演算して得られた前記当選情報をクーポン管理サーバに送信し、
前記処理手順情報は、
前記選択手順実行部が、前記当選情報を情報サーバに問合せ要求を送信し、該送信の応答として受信した前記当選情報に対応する前記電子クーポンの前記特典内容を示す情報を前記特典内容記憶部から読み出して、前記電子クーポンの特典内容を示す情報を確定する手順を示す情報である、
ことを特徴とする請求項１又は請求項２に記載の電子クーポン決済システム。
【請求項６】
携帯端末から受信したクーポンＩＤであって特典内容が確定していない電子クーポンを識別するクーポンＩＤを含む特典内容確定要求を、クーポン管理サーバに送信するとともに、前記電子クーポンの確定された前記特典内容を示す情報を受信し、受信した前記電子クーポンの確定された特典内容を示す情報を処理するクーポン処理端末と、前記電子クーポンの特典内容の確定に用いられる環境情報に対する問合せ要求を受信し、前記環境情報を送信する情報サーバと、クーポン管理サーバと、を具備する電子クーポン決済システムにおけるクーポン管理サーバであって、
前記環境情報を前記情報サーバに問合せる情報が含まれる処理手順情報を前記クーポンＩＤに対応付けて記憶する処理手順記憶部と、
前記クーポン処理端末から受信する前記特典内容確定要求に含まれる前記クーポンＩＤに対応する前記処理手順情報を前記処理手順記憶部から読み出す処理手順選択部と、
前記処理手順選択部が読み出した前記処理手順情報に基づいて、前記情報サーバに前記処理手順情報に含まれる前記問合せ要求を送信して、該送信の応答として受信した前記環境情報に基づいて、前記電子クーポンに対する特典内容を示す情報を確定し、該確定した特典内容を示す情報を前記クーポン処理端末に送信する選択手順実行部と、
を備えることを特徴とするクーポン管理サーバ。
【請求項７】
携帯端末から受信したクーポンＩＤであって特典内容が確定していない電子クーポンを識別するクーポンＩＤを含む特典内容確定要求を、クーポン管理サーバに送信するとともに、前記電子クーポンの確定された前記特典内容を示す情報を受信し、受信した前記電子クーポンの確定された特典内容を示す情報を処理するクーポン処理端末と、前記電子クーポンの特典内容の確定に用いられる環境情報が記憶される環境情報記憶部を備える情報サーバと、前記環境情報を前記情報サーバに問合せる情報が含まれる処理手順情報を前記クーポンＩＤに対応付けて記憶する処理手順記憶部を備えるクーポン管理サーバと、を具備する電子クーポン決済システムにおける電子クーポンの特典選択方法であって、
前記クーポン処理端末のリーダライタ通信部が、前記携帯端末から前記クーポンＩＤを受信するステップと、
前記クーポン処理端末の電子クーポン処理部が、受信した前記クーポンＩＤを含む前記特典内容確定要求をクーポン管理サーバに送信するステップと、
前記クーポン管理サーバの処理手順選択部が、前記クーポン処理端末から受信する前記特典内容確定要求に含まれる前記クーポンＩＤに対応する前記処理手順情報を前記処理手順記憶部から読み出すステップと、
前記クーポン管理サーバの選択手順実行部が、読み出した前記処理手順情報に基づいて、前記情報サーバに前記環境情報の問合せ要求を送信するステップと、
前記情報サーバの情報取得部が、前記クーポン管理サーバから受信する前記環境情報に対する問合せ要求に基づいて、前記環境情報記憶部から前記環境情報を読出して送信するステップと、
前記選択手段実行部が、前記情報サーバから受信した前記環境情報により前記電子クーポンに対する特典内容を確定し、該確定した特典内容を示す情報を前記クーポン処理端末に送信するステップと、
前記電子クーポン処理部が、前記電子クーポンの特典内容を示す情報を受信して前記電子クーポンに対応する特典の処理を行うステップと、
を備えることを特徴とする電子クーポンの特典選択方法。
【請求項８】
携帯端末から受信したクーポンＩＤであって特典内容が確定していない電子クーポンを識別するクーポンＩＤを含む特典内容確定要求を、クーポン管理サーバに送信するとともに、前記電子クーポンの確定された前記特典内容を示す情報を受信し、受信した前記電子クーポンの確定された特典内容を示す情報を処理するクーポン処理端末と、前記クーポンの特典内容の確定に用いられる環境情報に対する問合せ要求を受信し、前記環境情報を送信する情報サーバと、前記環境情報を前記情報サーバに問合せる情報が含まれる処理手順情報を前記クーポンＩＤに対応付けて記憶する処理手順記憶部を備えるクーポン管理サーバと、を具備する電子クーポン決済システムにおけるクーポン管理サーバに用いられるコンピュータに、
前記クーポン処理端末から受信する前記特典内容確定要求に含まれる前記クーポンＩＤに対応する前記処理手順情報を前記処理手順記憶部から読み出すステップと、
読み出した前記処理手順情報に含まれる前記環境情報の問合せ要求を前記情報サーバに送信するステップと、
送信した前記環境情報の問合せ要求に対する該環境情報を前記情報サーバから受信し、受信した前記環境情報により前記電子クーポンに対する特典内容を確定し、該確定した特典内容を示す特典内容を示す情報を前記クーポン処理端末に送信するステップと、
を実行させることを特徴とする電子クーポンの特典選択プログラム。
【発明の詳細な説明】
【技術分野】
【０００１】
本発明は、主に電子決済における電子クーポンに関する。
【背景技術】
【０００２】
従来、商品購入の際に特典が受けられるクーポンは、多くの場合、紙などに印刷されて配布されている。そのため、紙に印刷されたクーポンでは、配布時にクーポンの特典内容が設定されている「購入時に５％引き」という特典が得られるクーポンは配布できたが、クーポンの特典内容を動的に変更するクーポンを配布することができなかった。また、「購入時、１００人中５人は無料（抽選）」といった、利用時に内容が確定するクーポンを配布する場合には、クーポンが利用される際に店員が情報の確認等を行う必要があり、確認及びクーポンの管理が煩雑なため、あまり利用されていなかった。そこで、例えば、電子クーポンを用いて、商品の購入時に商品の購入履歴から割引率を設定する電子クーポンを提供する技術がある（特許文献１参照）。
【特許文献１】特開２００３−５０９４２号公報
【発明の開示】
【発明が解決しようとする課題】
【０００３】
しかしながら、特許文献１の電子クーポンでは既に蓄積した情報を基にして利用者ごと、又は商品ごとに予め割引率を設定しているのみにとどまり、外的な環境情報、例えば、気象情報や、スポーツなどの試合の勝敗の結果に基づいて、電子クーポンの提供者側が任意にそのクーポンの特典内容情報を選択するような、電子クーポンを動的に設定することができないという問題がある。
【０００４】
本発明は、このような事情を考慮し、上記の問題を解決すべくなされたもので、その目的は、電子クーポンを用いた決済システムにおいて、外部の環境情報を用いて電子クーポンの特典内容を動的に変更可能なクーポン管理サーバ及び電子クーポン決済システムを提供することにある。
【課題を解決するための手段】
【０００５】
上記問題を解決するために、本発明は、携帯端末から受信したクーポンＩＤであって特典内容が確定していない電子クーポンを識別するクーポンＩＤを含む特典内容確定要求を、クーポン管理サーバに送信するとともに、前記電子クーポンの確定された前記特典内容を示す情報を受信し、受信した前記電子クーポンの確定された特典内容を示す情報を処理するクーポン処理端末と、前記電子クーポンの前記特典内容を示す情報の確定に用いられる環境情報が記憶される環境情報記憶部と、前記環境情報に対する問合せ要求に基づいて、前記環境情報記憶部から前記環境情報を読出して送信する情報取得部と、を備える情報サーバと、前記環境情報の問合せ要求が含まれ、前記電子クーポンの前記特典内容を示す情報を確定する処理を示す処理手順情報を、前記クーポンＩＤに対応付けて予め記憶する処理手順記憶部と、前記環境情報を、前記電子クーポンの前記特典内容を示す情報に対応付けて記憶する特典内容記憶部と、前記クーポン処理端末から受信する前記特典内容確定要求に含まれる前記クーポンＩＤに対応する前記処理手順情報を前記処理手順記憶部から読み出す処理手順選択部と、前記処理手順選択部が読み出した前記処理手順情報に基づいて、前記情報サーバに前記環境情報の問合せ要求を送信して前記環境情報を受信し、該送信した問合せ要求の応答として前記情報サーバから受信した前記環境情報に対応する前記電子クーポンの特典内容を示す情報を前記特典内容記憶部から読み出して確定し、該確定した特典内容を示す情報を前記クーポン処理端末に送信する選択手順実行部と、を備えるクーポン管理サーバと、を備えることを特徴とする電子クーポン決済システムである。
【０００６】
また、本発明は、上記に記載の発明において、前記電子クーポンの特典内容を示す情報は、商品購入の際の購入金額の割引率を示す情報である、又は、該電子クーポンに関連する新たな前記電子クーポンの配布を示す情報である、ことを特徴とする。
【０００７】
また、本発明は、上記に記載の発明において、前記環境情報は、前記クーポン処理端末が設置されている地域の気象情報であり、前記クーポン管理サーバは、前記クーポン処理端末を一意に識別する情報端末ＩＤと、当該情報端末ＩＤで示されるクーポン処理端末が設置されている地域情報とが対応付けられて記憶される情報端末所在記憶部、を備え、前記環境情報記憶部には、前記地域情報と、前記地域情報で示される地域の気象情報とが対応付けられて記憶され、前記処理手順情報は、前記選択手順実行部が、前記クーポン処理端末から受信する前記情報端末ＩＤに対応する前記地域情報を前記情報端末所在記憶部から読出し、読み出した前記地域情報の前記気象情報を情報サーバに問合せ要求を送信し、該送信した問合せ要求の応答として前記情報サーバから受信した前記気象情報に対応する前記電子クーポンの前記特典内容を示す情報を前記特典内容記憶部から読み出して、前記電子クーポンの前記特典内容を示す情報を確定する手順を示す情報である、ことを特徴とする。
【０００８】
また、本発明は、上記に記載の発明において、前記環境情報は、前記携帯端末ＩＤに予め関連付けられた試合の勝敗情報であり、前記環境情報記憶部には、前記携帯端末ＩＤと、前記勝敗情報とが対応付けられて記憶され、前記処理手順情報は、前記選択手順実行部が、前記携帯端末ＩＤに対応する前記勝敗情報を情報サーバに問合せ要求を送信し、該送信した問合せ要求の応答として前記情報サーバから受信した前記勝敗情報に対応する前記電子クーポンの特典内容を示す情報を前記特典内容記憶部から読み出して、前記電子クーポンの特典内容を示す情報を確定する手順を示す情報である、ことを特徴とする。
【０００９】
また、本発明は、上記に記載の発明において、前記環境情報は、無作為に割当てられる当選か否かを示す当選情報であり、前記環境情報記憶部には、前記当選情報に対する問合せ要求数、及び前記問合せ要求の応答として送信した当選情報が当選率を示す情報として記憶され、前記情報取得部は、更に、前記環境情報記憶部から読み出した前記当選率を示す情報に基づいて、当選か否かを割当てる演算を行い、演算して得られた前記当選情報をクーポン管理サーバに送信し、前記処理手順情報は、前記選択手順実行部が、前記当選情報を情報サーバに問合せ要求を送信し、該送信の応答として受信した前記当選情報に対応する前記電子クーポンの前記特典内容を示す情報を前記特典内容記憶部から読み出して、前記電子クーポンの特典内容を示す情報を確定する手順を示す情報である、ことを特徴とする。
【００１０】
また、本発明は、携帯端末から受信したクーポンＩＤであって特典内容が確定していない電子クーポンを識別するクーポンＩＤを含む特典内容確定要求を、クーポン管理サーバに送信するとともに、前記電子クーポンの確定された前記特典内容を示す情報を受信し、受信した前記電子クーポンの確定された特典内容を示す情報を処理するクーポン処理端末と、前記電子クーポンの特典内容の確定に用いられる環境情報に対する問合せ要求を受信し、前記環境情報を送信する情報サーバと、クーポン管理サーバと、を具備する電子クーポン決済システムにおけるクーポン管理サーバであって、前記環境情報を前記情報サーバに問合せる情報が含まれる処理手順情報を前記クーポンＩＤに対応付けて記憶する処理手順記憶部と、前記クーポン処理端末から受信する前記特典内容確定要求に含まれる前記クーポンＩＤに対応する前記処理手順情報を前記処理手順記憶部から読み出す処理手順選択部と、前記処理手順選択部が読み出した前記処理手順情報に基づいて、前記情報サーバに前記処理手順情報に含まれる前記問合せ要求を送信して、該送信の応答として受信した前記環境情報に基づいて、前記電子クーポンに対する特典内容を示す情報を確定し、該確定した特典内容を示す情報を前記クーポン処理端末に送信する選択手順実行部と、を備えることを特徴とするクーポン管理サーバである。
【００１１】
また、本発明は、携帯端末から受信したクーポンＩＤであって特典内容が確定していない電子クーポンを識別するクーポンＩＤを含む特典内容確定要求を、クーポン管理サーバに送信するとともに、前記電子クーポンの確定された前記特典内容を示す情報を受信し、受信した前記電子クーポンの確定された特典内容を示す情報を処理するクーポン処理端末と、前記電子クーポンの特典内容の確定に用いられる環境情報が記憶される環境情報記憶部を備える情報サーバと、前記環境情報を前記情報サーバに問合せる情報が含まれる処理手順情報を前記クーポンＩＤに対応付けて記憶する処理手順記憶部を備えるクーポン管理サーバと、を具備する電子クーポン決済システムにおける電子クーポンの特典選択方法であって、前記クーポン処理端末のリーダライタ通信部が、前記携帯端末から前記クーポンＩＤを受信するステップと、前記クーポン処理端末の電子クーポン処理部が、受信した前記クーポンＩＤを含む前記特典内容確定要求をクーポン管理サーバに送信するステップと、前記クーポン管理サーバの処理手順選択部が、前記クーポン処理端末から受信する前記特典内容確定要求に含まれる前記クーポンＩＤに対応する前記処理手順情報を前記処理手順記憶部から読み出すステップと、前記クーポン管理サーバの選択手順実行部が、読み出した前記処理手順情報に基づいて、前記情報サーバに前記環境情報の問合せ要求を送信するステップと、前記情報サーバの情報取得部が、前記クーポン管理サーバから受信する前記環境情報に対する問合せ要求に基づいて、前記環境情報記憶部から前記環境情報を読出して送信するステップと、前記選択手段実行部が、前記情報サーバから受信した前記環境情報により前記電子クーポンに対する特典内容を確定し、該確定した特典内容を示す情報を前記クーポン処理端末に送信するステップと、前記電子クーポン処理部が、前記電子クーポンの特典内容を示す情報を受信して前記電子クーポンに対応する特典の処理を行うステップと、を備えることを特徴とする電子クーポンの特典選択方法である。
【００１２】
また、本発明は、携帯端末から受信したクーポンＩＤであって特典内容が確定していない電子クーポンを識別するクーポンＩＤを含む特典内容確定要求を、クーポン管理サーバに送信するとともに、前記電子クーポンの確定された前記特典内容を示す情報を受信し、受信した前記電子クーポンの確定された特典内容を示す情報を処理するクーポン処理端末と、前記クーポンの特典内容の確定に用いられる環境情報に対する問合せ要求を受信し、前記環境情報を送信する情報サーバと、前記環境情報を前記情報サーバに問合せる情報が含まれる処理手順情報を前記クーポンＩＤに対応付けて記憶する処理手順記憶部を備えるクーポン管理サーバと、を具備する電子クーポン決済システムにおけるクーポン管理サーバに用いられるコンピュータに、前記クーポン処理端末から受信する前記特典内容確定要求に含まれる前記クーポンＩＤに対応する前記処理手順情報を前記処理手順記憶部から読み出すステップと、読み出した前記処理手順情報に含まれる前記環境情報の問合せ要求を前記情報サーバに送信するステップと、送信した前記環境情報の問合せ要求に対する該環境情報を前記情報サーバから受信し、受信した前記環境情報により前記電子クーポンに対する特典内容を確定し、該確定した特典内容を示す特典内容を示す情報を前記クーポン処理端末に送信するステップと、を実行させることを特徴とする電子クーポンの特典選択プログラムである。
【発明の効果】
【００１３】
この発明によれば、携帯端末に記憶される電子クーポンのクーポンＩＤに基づいて、クーポン管理サーバに記憶される電子クーポンの特典内容の選択の処理方法を読出し、読み出した処理方法に含まれる特典内容を示す情報を選択する情報を、情報サーバから取得する構成とした。情報サーバに記憶される環境情報を変更することにより、電子クーポンを処理する情報端末、リーダライタ装置、携帯端末、及びクーポン管理サーバの構成を変更せずに動的に電子クーポンの特典内容を変更することが可能になる。また、一旦配布した電子クーポンの特典内容を動的に変更することにより、閑散な時期に電子クーポンを利用する顧客の来店を促したり、電子クーポン自体に娯楽性を持たせたりすることが可能となる。更に、情報サーバに記憶する情報に多様性を持たせることで、単に商品の購入に対する興味だけでなく、スポーツなどと電子クーポンとの関連性を高めて、特定の顧客に来店の動機付けをすることも可能となる。
【発明を実施するための最良の形態】
【００１４】
（第１実施形態）
以下、本発明の第１実施形態によるクーポン管理サーバ及び電子クーポン決済システムを図面を参照して説明する。
図１は、本第１実施形態による電子クーポン決済システム１を示す概略ブロック図である。電子クーポン決済システム１は、情報端末１０、リーダライタ装置２０、携帯端末３０、クーポン管理サーバ４０、外部イベントサーバ（情報サーバ）５０、及び情報端末１０とクーポン管理サーバ４０と外部イベントサーバ５０とを接続するネットワーク６０を具備している。
【００１５】
情報端末１０は、決済指示入出力部１１、ＦＳＰ（Frequent Shoppers Program）管理部１２、電子決済部１３、売上げ明細記憶部１４、商品マスタ記憶部１５、及び情報端末ＩＤ記憶部１６を備えている。決済指示入出力部１１は、例えば、人の操作により、決済対象となる商品の情報としての商品ＩＤが含まれる電子決済の指示情報が入力される。ＦＳＰ管理部１２は、入力される決済対象となる商品の商品ＩＤと、適用される電子クーポンのクーポンＩＤを含む電子決済の指示情報を電子決済部１３に出力する。また、ＦＳＰ管理部１２は、特典が受けられる電子クーポンを一意に識別するクーポンＩＤに基づいて、得られる特典内容情報（特典内容を示す情報）で示される特典内容を処理する。電子決済部１３は、ＦＳＰ管理部１２から入力される決済対象の商品ＩＤ及びクーポンＩＤを用いて、商品マスタ記憶部１５から商品情報を読み出して決済処理を行う。また、電子決済部１３は、決済結果を売上げ明細情報として売上げ明細記憶部１４に書き込み記憶させる。
【００１６】
売上げ明細記憶部１４には、決済結果が売上げ明細情報として記憶される。商品マスタ記憶部１５には、決済対象となる商品情報が予め記憶される。情報端末ＩＤ記憶部１６には、当該情報端末１０を一意に識別するための情報端末ＩＤが記憶されている。
また、情報端末１０は、決済指示入出力部１１に入力された電子決済の指示情報に基づいて、携帯端末３０から支払いを受ける電子決済の処理を行うと共に、リーダライタ装置２０から入力される電子クーポンのクーポンＩＤに対応した特典の処理を行う。
【００１７】
リーダライタ装置２０は、決済アプリケーション部２１、ＦＳＰアプリケーション部２２、及びリーダライタ通信部２３を備えている。決済アプリケーション部２１は、情報端末１０の電子決済部１３から電子決済の指示情報を受信し、受信した電子決済の指示情報を、リーダライタ通信部２３を介して、携帯端末３０に送信する。ＦＳＰアプリケーション部２２は、情報端末１０のＦＳＰ管理部１２からＦＳＰアプリケーション起動の指示情報を受信して、リーダライタ通信部２３を介して携帯端末３０と電子クーポンを一意に識別するクーポンＩＤ及び電子クーポンの内容を示すクーポン情報の送受信をする。リーダライタ通信部２３は、携帯端末３０と通信を行う。
【００１８】
携帯端末３０は、携帯端末通信部３１、クーポン記憶部３２、携帯端末ＩＤ記憶部３３、及び携帯端末決済部３４を備えている。携帯端末通信部３１は、リーダライタ装置２０から受信する情報を受信して、電子クーポンのクーポンＩＤ及びクーポン情報の送受信、及び電子決済の指示情報を受信する。クーポン記憶部３２には、配布された電子クーポンのクーポンＩＤ及びクーポン情報が記憶される。携帯端末ＩＤ記憶部３３には、当該携帯端末３０を一意に識別する携帯端末ＩＤが記憶される。携帯端末決済部３４は、リーダライタ装置２０を介して情報端末１０から受信した金額を支払う電子決済の処理を行う。
【００１９】
クーポン管理サーバ４０は、処理手順選択部４１、クーポンＩＤマスタ記憶部４２、携帯端末ＩＤマスタ記憶部４３、割引方式記憶部４４、選択手順実行部４５、及び割引率記憶部４６を備えている。処理手順選択部４１は、ネットワーク６０を介して情報端末１０から受信したクーポンＩＤに対応した割引方式ＩＤを読み出し、読み出した割引方式ＩＤに対応する処理方法としての処理手順情報を割引方式記憶部４４から読み出して、処理手順を選択する。また、処理手順選択部４１は、クーポンＩＤマスタ記憶部４２から読み出し、読み出した電子クーポン情報のクーポンＩＤ及びクーポン情報を新たに配布する電子クーポンを示す情報として送信する。クーポンＩＤマスタ記憶部４２には、電子クーポンの内容を示す電子クーポン情報が記憶される。携帯端末ＩＤマスタ記憶部４３には、携帯端末ＩＤごとの電子クーポンを示す情報の配布状況を示す電子クーポン配布情報が記憶される。割引方式記憶部４４には、電子クーポンの特典内容情報を定める処理手順としての処理手順情報が記憶される。選択手順実行部４５は、入力される処理手順情報に基づいて、電子クーポンの特典内容情報を選択して確定する。割引率記憶部４６には、電子クーポンの特典内容情報である割引率情報が記憶される。
【００２０】
外部イベントサーバ５０は、情報取得部５１、及びイベント情報記憶部（環境情報記憶部）５２を備えている。情報取得部５１は、外部の事象を示すイベント情報（環境情報）の問合せ要求を受信し、受信した問合せ要求に応じたイベント情報をイベント情報記憶部５２から読み出して、送信する。イベント情報記憶部５２には、電子クーポンの特典内容情報の選択に用いられる外部の事象を示すイベント情報が記録される。
【００２１】
次に、情報端末１０、携帯端末３０、クーポン管理サーバ４０、及び外部イベントサーバ５０に記憶される情報について、図を用いて説明する。
まず、図２（ａ）は、携帯端末ＩＤ記憶部３３に記憶される携帯端末ＩＤテーブルのデータ構成を示す概略図である。図示するように、携帯端末ＩＤテーブルは、携帯端末３０を一意に識別するための携帯端末ＩＤを有している。図２（ｂ）は、クーポン記憶部３２に記憶される取得電子クーポンテーブルのデータ構成を示す概略図である。図示するように取得電子クーポンテーブルは、行と列からなる２次元の表形式のデータであり、クーポンＩＤ、及びクーポン情報の各項目の列を有している。取得電子クーポンテーブルの各行は、クーポンＩＤごとに存在する。クーポンＩＤは、電子クーポンを一意に識別する識別子である。クーポン情報は、電子クーポンの特典内容について示す情報であり、携帯端末３０上で記憶されている電子クーポンについて、情報を出力するときに用いられる。
【００２２】
図３（ａ）は、商品マスタ記憶部１５に記憶される商品マスタテーブルのデータ構成を示す概略図である。図示するように、商品マスタテーブルは、行と列からなる２次元の表形式のデータであり、商品を一意に識別する商品ＩＤ、商品の名称である商品名、及び商品の価格を示す商品金額の各項目の列を有している。商品マスタテーブルの各行は、商品ごとに存在する商品情報である。
図３（ｂ）は、情報端末ＩＤ記憶部１６に記憶される情報端末ＩＤテーブルのデータ構成を示す概略図である。図示するように、情報端末ＩＤテーブルは、情報端末１０を一意に識別するための情報端末ＩＤを有している。
【００２３】
図３（ｃ）は、売上げ明細記憶部１４に記憶される売上げ明細テーブルのデータ構成を示す概略図である。図示するように、売上げ明細テーブルは、行と列からなる２次元の表形式のデータであり、取引決済ＩＤ、クーポンＩＤ、割引後取引決済金額、及び割引金額の各項目の列を有している。取引決済ＩＤは、決済を一意に識別する識別子である。クーポンＩＤは、決済に適用された電子クーポンのクーポンＩＤである。割引後取引決済金額は、電子クーポンの特典内容情報を適用して決済された金額である。割引金額は、電子クーポンの特典内容情報を適用して割引かれた金額である。売上げ明細テーブルの各行は、売上げごとに存在する売上げ明細情報である。
【００２４】
図４（ａ）は、クーポンＩＤマスタ記憶部４２に記憶されるクーポンＩＤマスタテーブルのデータ構成を示す概略図である。図示するように、クーポンＩＤマスタテーブルは、行と列からなる２次元の表形式のデータであり、クーポンＩＤ、クーポン情報、及び割引方式ＩＤの各項目の列を有している。また、クーポンＩＤマスタテーブルの各行は、電子クーポンごとに存在する電子クーポン情報である。クーポンＩＤは、電子クーポンを一意に識別するクーポンＩＤである。クーポン情報は、電子クーポンの特典内容を消費者に示す情報である。割引方式ＩＤは、当該電子クーポンの特典内容情報を選択する処理手順を一意に識別する識別子である。
【００２５】
図４（ｂ）は、携帯端末ＩＤマスタ記憶部４３に記憶される携帯端末ＩＤマスタテーブルのデータ構成を示す概略図である。図示するように、携帯端末ＩＤマスタテーブルは、行と列からなる２次元の表形式のデータであり、携帯端末ＩＤ、及びクーポン配布フラグの各項目の列を有している。また、携帯端末ＩＤマスタテーブルの各行は、携帯端末ごとに存在する電子クーポン配布情報である。携帯端末ＩＤは、携帯端末３０を一意に識別する携帯端末ＩＤである。クーポン配布フラグは、携帯端末ＩＤで示される携帯端末３０に対する電子クーポンの配布状況を示す情報である。
【００２６】
図４（ｃ）は、割引方式記憶部４４に記憶される割引方式テーブルのデータ構成を示す概略図である。図示するように、割引方式テーブルは、行と列からなる２次元の表形式のデータであり、割引方式ＩＤ、及び処理方法の各項目の列を有している。また、割引方式テーブルの各行は、電子クーポンの特典内容情報を選択して確定する処理手順ごとに存在する。処理手順とは、電子クーポンの特典内容情報を選択する際に、選択手順実行部４５が行う処理のことである。例えば、処理手順は、情報端末１０から受信した携帯端末ＩＤに対応する会員ランクの問合せ要求を外部イベントサーバ５０に送信し、当該送信の応答として受信するイベント情報である会員ランクに対応する割引率を割引率記憶部４６から読出し、読み出した割引率を特典内容情報とする、ことである。割引方式ＩＤは、処理手順情報を一意に識別する識別子である。割引方式テーブルは、割引方式ＩＤによりクーポンＩＤマスタ記憶部４２に記憶されるクーポンＩＤマスタテーブルと関連付けられている。処理方法は、処理手順を示す処理手順情報である。
【００２７】
図４（ｄ）は、割引率記憶部４６に記憶される割引率テーブルのデータ構成を示す概略図である。図示するように、割引率テーブルは、行と列からなる２次元の表形式のデータであり、会員ランクと割引率との各項目の列からなる表形式のデータである。また、割引率テーブルは、会員ランクごとに存在する。会員ランクは、携帯端末ＩＤごとに対応付けられたグループを示す情報である。割引率は、電子クーポンの特典内容情報としての決済金額の割引率である。
【００２８】
図５は、イベント情報記憶部５２に記憶される会員管理マスタテーブルのデータ構成を示す概略図である。図示するように、会員管理マスタテーブルは、行と列からなる２次元の表形式のデータであり、携帯端末ＩＤと会員ランクとの各項目の列を有している。また、会員管理マスタテーブルの各行は、携帯端末ＩＤごとに存在する。携帯端末ＩＤは、携帯端末３０を一意に識別する識別子である。会員ランクは、携帯端末ＩＤごとに対応付けられたグループを示す情報である。
【００２９】
次に、情報端末１０、リーダライタ装置２０、携帯端末３０、及びクーポン管理サーバ４０の処理をフローチャートを用いて説明する。
図６は、クーポン管理サーバ４０の処理を示すフローチャートである。
まず、処理手順選択部４１は、情報端末１０からクーポンＩＤ及び携帯端末ＩＤを含む電子クーポンの特典内容情報を選択する要求を受信する（ステップＳ４０１）。
【００３０】
処理手順選択部４１は、受信したクーポンＩＤに対応する割引方式ＩＤをクーポンＩＤマスタ記憶部４２から読み出し、読み出した割引方式ＩＤに対応した処理手順情報を割引方式記憶部４４から読み出す（ステップＳ４０２）。このように、処理手順選択部４１は、クーポンＩＤマスタ記憶部４２に記録された割引方式ＩＤ及び割引方式記憶部４４に記憶された処理手順情報を読み出すことで、電子クーポンの特典内容情報を確定（選択）するための処理手順を選択する。
【００３１】
処理手順選択部４１は、読み出した処理手順情報を選択手順実行部４５に出力する。選択手順実行部４５は、入力された処理手順情報に含まれるイベント情報の問合せ要求を示す情報に従い、イベント情報の問合せ要求を外部イベントサーバ５０に送信して、電子クーポンの特典内容情報を選択する処理を開始する（ステップＳ４０３）。
【００３２】
選択手順実行部４５は、入力された処理手順に含まれるイベント情報の問合せ要求をネットワーク６０を介して、外部イベントサーバ５０に送信する。選択手順実行部４５は、当該送信の応答としてイベント情報を受信する（ステップＳ４０４）。
選択手順実行部４５は、受信したイベント情報に対応する特典内容を割引率記憶部４６から読み出す（ステップＳ４０５）。
【００３３】
選択手順実行部４５は、割引率記憶部４６から読み出した電子クーポンの特典内容情報をネットワーク６０を介して、情報端末１０に送信する（ステップＳ４０６）。
以上の処理により、クーポン管理サーバ４０は、電子クーポンのクーポンＩＤを受信し、受信したクーポンＩＤに応じて、電子クーポンの特典内容情報を選択する。
【００３４】
次に、図７は、情報端末１０の処理を示すフローチャートである。
まず、決済指示入出力部１１は、決済対象の商品ＩＤを含む携帯端末３０から支払いを受ける電子決済の指示情報が入力される（ステップＳ１０１）。
決済指示入出力部１１は、入力された電子決済の指示情報をＦＳＰ管理部１２に出力する。ＦＳＰ管理部１２は、電子決済の指示情報が入力されると、リーダライタ装置２０のＦＳＰアプリケーション部２２にＦＳＰアプリケーションの起動を指示する（ステップＳ１０２）。
【００３５】
ＦＳＰ管理部１２は、リーダライタ装置２０のＦＳＰアプリケーション部２２から携帯端末ＩＤ、及びクーポンＩＤを含む特典内容情報の確定を要求する情報を受信して、受信した情報を、ネットワーク６０を介して、クーポン管理サーバ４０に送信することで、特典内容情報の確定を要求する情報を中継する。
更に、ＦＳＰ管理部１２は、クーポン管理サーバ４０から電子クーポンの特典内容情報を受信し、受信した特典内容情報をリーダライタ装置２０に送信して、中継をする。
【００３６】
ＦＳＰ管理部１２は、リーダライタ装置２０のＦＳＰアプリケーション部２２からＦＳＰアプリケーションの終了確認、及び電子クーポンの特典内容情報を受信する（ステップＳ１０３）。
ＦＳＰ管理部１２は、電子決済対象の商品ＩＤ、適用される電子クーポンのクーポンＩＤ、及び受信した電子クーポンの特典内容情報を電子決済部１３に出力する。電子決済部１３は、入力された商品ＩＤに対応する商品金額を商品マスタ記憶部１５から読み出す。また、電子決済部１３は、入力された電子クーポンの特典内容情報に基づいて、決済金額の算出を行う（ステップＳ１０４）。
続いて、電子決済部１３は、算出した決算金額を含む決済要求をリーダライタ装置２０の決済アプリケーション部２１に送信して、決済アプリケーションを起動させる（ステップＳ１０５）。
【００３７】
電子決済部１３は、リーダライタ装置２０の決済アプリケーション部２１から決済終了を示す情報を受信すると、当該決済を一意に識別できる識別子を割当て、適用した電子クーポンのクーポンＩＤ、決済した金額、及び電子クーポンの特典内容情報を適用したことによる割引金額とを対応付けて売上げ明細情報として売上げ明細記憶部１４に書き込み、記憶させる。続いて、電子決済部１３は、ＦＳＰ管理部１２に電子決済の完了を示す情報を出力する。ＦＳＰ管理部１２は、電子決済部１３から電子決済完了を示す情報が入力されると、決済指示入出力部１１に電子決済が完了したことを出力させる（ステップＳ１０６）。
なお、決済指示入出力部１１が行う電子決済が完了したことに対する出力は、画像情報、音情報、紙などに印刷されるテキスト情報などである。
【００３８】
次に、図８は、リーダライタ装置２０の処理を示したフローチャートである。
まず、ＦＳＰアプリケーション部２２は、情報端末１０からＦＳＰアプリケーション起動の指示情報を受信する（ステップＳ２０１）。
ＦＳＰアプリケーション部２２は、リーダライタ通信部２３を介して、携帯端末３０に携帯端末ＩＤの要求を送信する（ステップＳ２０２）。
【００３９】
ＦＳＰアプリケーション部２２は、リーダライタ通信部２３を介して、携帯端末３０から携帯端末ＩＤを受信する（ステップＳ２０３）。
ＦＳＰアプリケーション部２２は、携帯端末ＩＤを受信すると、リーダライタ通信部２３を介して、携帯端末３０に記憶されている電子クーポンのクーポンＩＤの要求を送信する（ステップＳ２０４）。
【００４０】
ＦＳＰアプリケーション部２２は、リーダライタ通信部２３を介して、携帯端末３０に記憶されているクーポンＩＤを受信する（ステップＳ２０５）。
続いて、ＦＳＰアプリケーション部２２は、受信したクーポンＩＤ及び携帯端末ＩＤを含む電子クーポンの特典内容情報を確定する要求を情報端末１０に送信する（ステップＳ２０６）。
【００４１】
ＦＳＰアプリケーション部２２は、情報端末１０を介して、クーポン管理サーバ４０で選択された電子クーポンの特典内容情報を受信する（ステップＳ２０７）。
また、ＦＳＰアプリケーション部２２は、新たな電子クーポンを配布するために、クーポンＩＤをリーダライタ通信部２３を介して携帯端末３０に送信して、記憶させる（ステップＳ２０８）。
【００４２】
更に、リーダライタ通信部２３は、受信した特典内容情報を含むＦＳＰアプリケーション終了の通知情報を情報端末１０のＦＳＰ管理部１２に送信する（ステップＳ２０９）。
決済アプリケーション部２１は、情報端末１０から決済金額を含む決済アプリケーション起動の指示情報を受信し、決済アプリケーションを起動する（ステップＳ２１０）。
【００４３】
決済アプリケーション部２１は、受信した決済金額を含む電子決済の指示情報をリーダライタ通信部２３を介して、携帯端末３０に送信する（ステップＳ２１１）。
決済アプリケーション部２１は、携帯端末３０から電子決済完了を示す情報を受信すると、決済アプリケーションを終了して、情報端末１０に電子決済完了を示す情報を送信する（ステップＳ２１２）。
【００４４】
次に、図９は、携帯端末３０の処理を示すフローチャートである。
まず、携帯端末通信部３１は、リーダライタ装置２０から携帯端末ＩＤの要求を受信すると、携帯端末ＩＤ記憶部３３から携帯端末ＩＤを読み出し、読み出した携帯端末ＩＤをリーダライタ装置２０に送信する（ステップＳ３０１）。
【００４５】
続いて、携帯端末通信部３１は、リーダライタ装置２０からクーポンＩＤの要求を受信すると、クーポン記憶部３２からクーポンＩＤを読出し、読み出したクーポンＩＤをリーダライタ装置２０に送信する（ステップＳ３０２）。
また、携帯端末通信部３１は、リーダライタ装置２０から新たな電子クーポンのクーポンＩＤを受信し、受信したクーポンＩＤ及びクーポン情報をクーポン記憶部３２に書き込み、記憶させる（ステップＳ３０３）。
【００４６】
携帯端末通信部３１は、リーダライタ装置２０から電子決済の指示情報を受信すると、受信した決済指示を携帯端末決済部３４に出力する。携帯端末決済部３４は、入力された電子決済の指示情報に含まれる金額を支払う電子決済を行い、電子決済完了を示す情報を携帯端末通信部３１に出力する。携帯端末通信部３１は、携帯端末決済部３４から入力された電子決済完了を示す情報をリーダライタ装置２０に送信する（ステップＳ３０４）。
【００４７】
次に図１０から図１３を用いて、電子クーポン決済システム１の処理を説明する。なお、電子クーポン決済システム１の処理は、図１０、図１１、図１２、及び図１３に図示される順に処理は行われる。また、商品マスタ記憶部１５には、図３（ａ）に示される情報が記憶され、情報端末ＩＤ記憶部１６には、図３（ｂ）に示される情報が記憶されている。また、クーポン記憶部３２には、図２（ｂ）に示される情報が記憶され、携帯端末ＩＤ記憶部３３には、図２（ａ）に示される情報が記憶されている。クーポンＩＤマスタ記憶部４２には、図４（ａ）に示される情報が記憶され、携帯端末ＩＤマスタ記憶部４３には、図４（ｂ）に示される情報が記憶され、割引方式記憶部４４には、図４（ｃ）に示される情報が記憶され、割引率記憶部４６には、図４（ｄ）に示される情報が記憶されている。また、イベント情報記憶部５２には、図５で示される情報が記憶されている。
【００４８】
まず、情報端末１０の決済指示入出力部１１は、決済対象の商品ＩＤ「１２３４５」を含んだ携帯端末３０から支払いを受ける電子決済の指示情報が入力される（ステップＳ１０１）。決済指示入出力部１１は、入力された電子決済の指示情報をＦＳＰ管理部１２に出力する。ＦＳＰ管理部１２は、リーダライタ装置２０のＦＳＰアプリケーション部２２にＦＳＰアプリケーション起動の指示情報を送信する（ステップＳ１０２、及びステップＳ６０１）。
【００４９】
リーダライタ装置２０のＦＳＰアプリケーション部２２は、情報端末１０からＦＳＰアプリケーション起動の指示情報を受信すると、ＦＳＰアプリケーションを起動し（ステップＳ２０１）、リーダライタ通信部２３を介して携帯端末ＩＤの要求を送信する（ステップＳ２０２、及びステップＳ６０２）。
【００５０】
携帯端末３０の携帯端末通信部３１は、リーダライタ装置２０から携帯端末ＩＤの要求を受信すると、携帯端末ＩＤ記憶部３３から携帯端末ＩＤ「１２３４５６７８９」を読み出し、読み出した携帯端末ＩＤをリーダライタ装置２０に送信する（ステップＳ３０１、及びステップＳ６０３）。
【００５１】
リーダライタ装置２０のリーダライタ通信部２３は、携帯端末３０から携帯端末ＩＤ「１２３４５６７８９」を受信し、受信した携帯端末ＩＤをＦＳＰアプリケーション部２２に出力する（ステップＳ２０３）。ＦＳＰアプリケーション部２２は、携帯端末ＩＤが入力されると、リーダライタ通信部２３を介して携帯端末３０にクーポンＩＤ要求を送信する（ステップＳ２０４、及びステップＳ６０４）。
【００５２】
携帯端末３０の携帯端末通信部３１は、クーポンＩＤ要求を受信すると、クーポン記憶部３２からクーポンＩＤ「Ｃ００１２３」を読み出し、読み出したクーポンＩＤを２０に送信する（ステップＳ３０２、及びステップＳ６０５）。
【００５３】
リーダライタ装置２０のリーダライタ通信部２３は、携帯端末３０からクーポンＩＤ「Ｃ００１２３」を受信すると、受信したクーポンＩＤをＦＳＰアプリケーション部２２に出力する（ステップＳ２０５）。ＦＳＰアプリケーション部２２は、携帯端末ＩＤ「０１２３４５６７８９」と、入力されたクーポンＩＤを含む電子クーポンの特典内容情報を確定する要求を情報端末１０に送信する（ステップＳ２０６、及びステップＳ６０６）。
【００５４】
情報端末１０のＦＳＰ管理部１２は、リーダライタ装置２０から受信した電子クーポンの特典内容情報を確定する要求を、ネットワーク６０を介して、クーポン管理サーバ４０に送信する。
【００５５】
クーポン管理サーバ４０の処理手順選択部４１は、情報端末１０から特典内容の確定要求を受信する（ステップＳ４０１）。処理手順選択部４１は、受信した特典内容の確定要求に含まれるクーポンＩＤ「Ｃ００１２３」に対応する割引方式ＩＤ「Ｍ００００１」をクーポン記憶部３２から読み出し、読み出した割引方式ＩＤ「Ｍ００００１」に対応する処理手順情報「処理Ａ」を割引方式記憶部４４から読み出す（ステップＳ４０２）。なお、「処理Ａ」は、外部イベントサーバ５０に携帯端末ＩＤに対応する会員ランクを取得する、という問合せ要求の情報が含まれ、携帯端末ＩＤに割当てられた会員ランクに応じた割引に対応して、電子クーポンの特典内容情報を決定する処理を示す。処理手順選択部４１は、「処理Ａ」と、受信した特典内容情報の確定を要求する情報に含まれた携帯端末ＩＤとを選択手順実行部４５に出力する。選択手順実行部４５は、処理手順選択部４１から入力された処理手順情報に従い、情報端末１０から入力された携帯端末ＩＤ「０１２３４５６７８９」に対応する会員ランクの問合せ要求をイベント情報の問合せ要求として、ネットワーク６０を介して、外部イベントサーバ５０に送信する（ステップＳ４０３、及びステップＳ６０７）。
【００５６】
外部イベントサーバ５０の情報取得部５１は、受信した問合せ要求に対応する携帯端末ＩＤ「０１２３４５６７８９」に割当てられた会員ランク「Ａ」をイベント情報記憶部５２から読み出し、読み出した会員ランク「Ａ」を、ネットワーク６０を介して、クーポン管理サーバ４０に送信する（ステップＳ５０１、及びステップＳ６０８）。
【００５７】
クーポン管理サーバ４０の選択手順実行部４５は、外部イベントサーバ５０から、問合せ要求に対するイベント情報としての会員ランク「Ａ」を受信する（ステップＳ４０４）。選択手順実行部４５は、受信した会員ランク「Ａ」に対応する電子クーポンの特典内容情報としての割引率を割引率記憶部４６から読み出して確定すると共に（ステップＳ４０５）、読み出した特典内容「３０％割引」を、ネットワーク６０を介して、情報端末１０に送信する。また、処理手順選択部４１は、クーポンＩＤマスタ記憶部４２から、受信した携帯端末ＩＤ及びクーポンＩＤに関連する電子クーポン情報を読出し、読み出した電子クーポン情報のクーポンＩＤとクーポン情報を新たに配布する電子クーポンとして情報端末１０に送信する（ステップＳ４０６、及びステップＳ６０９）。
【００５８】
情報端末１０のＦＳＰ管理部１２は、クーポン管理サーバ４０から受信した特典内容情報、及び新たに配布する電子クーポンのクーポンＩＤ及びクーポン情報を、リーダライタ装置２０に送信して、中継する。
【００５９】
リーダライタ装置２０のＦＳＰアプリケーション部２２は、情報端末１０から特典内容情報「３０％割引」受信すると、特典内容情報と共に受信した新たに配布する電子クーポンのクーポンＩＤ及びクーポン情報を、リーダライタ通信部２３を介して、携帯端末３０に送信する（ステップＳ２０８、及びステップＳ６１０）。
【００６０】
携帯端末３０の携帯端末通信部３１は、リーダライタ装置２０からクーポンＩＤ及びクーポン情報を受信し、受信したクーポンＩＤ「Ｃ００４５６」及びクーポン情報「１００人に５人は無料」をクーポン記憶部３２に書き込み、記憶させる。また、携帯端末通信部３１は、新たな電子クーポンを受取完了を示す情報をリーダライタ装置２０に送信する（ステップＳ３０３、及びステップＳ６１１）。
【００６１】
リーダライタ装置２０のリーダライタ通信部２３は、新たな電子クーポンの受領情報を受信すると、受領情報をＦＳＰアプリケーション部２２に出力する。ＦＳＰアプリケーション部２２は、受領情報が入力されると、ＦＳＰアプリケーションを終了して、既に受信している特典内容情報「３０％割引」と、ＦＳＰアプリケーション終了の通知とを情報端末１０に送信する（ステップＳ２０９、及びステップＳ６１２）。
【００６２】
情報端末１０のＦＳＰ管理部１２は、リーダライタ装置２０から確定された特典内容情報「３０％割引」と、ＦＳＰアプリケーション終了の通知とを受信し（ステップＳ１０３）、受信した特典内容情報と、適用する電子クーポンのクーポンＩＤ「Ｃ００１２３」と、決済対象の商品ＩＤ「１２３４５」とを電子決済部１３に出力する。電子決済部１３は、特典内容情報と商品ＩＤとが入力され、入力された商品ＩＤに対応する商品金額「１０００」を商品マスタ記憶部１５から読み出す。また、電子決済部１３は、商品金額と、入力された特典内容情報「３０％割引」に基づいて、決済金額「７００」及び割引金額「３００」を算出する（ステップＳ１０４）。更に、電子決済部１３は、算出した決済金額を含む電子決済の指示情報をリーダライタ装置２０に送信して、決済アプリケーションを起動させる（ステップＳ１０５、及びステップＳ６１３）。
【００６３】
リーダライタ装置２０の決済アプリケーション部２１は、情報端末１０から電子決済の指示情報を受信すると、決済アプリケーションを起動させ（ステップＳ２１０）、受信した電子決済の指示情報を、リーダライタ通信部２３を介して、携帯端末３０に送信する（ステップＳ２１１、及びステップＳ６１４）。
【００６４】
携帯端末３０の携帯端末通信部３１は、リーダライタ装置２０から電子決済の指示情報を受信すると、電子決済の指示情報を携帯端末決済部３４に出力する。携帯端末決済部３４は、入力された決済金額「７００」を含む電子決済の指示情報に従い、決済金額「７００」を支払う電子決済の処理を行い、電子決済完了を示す情報を、携帯端末通信部３１を介して、リーダライタ装置２０に送信する（ステップＳ３０４、及びステップＳ６１５）。
【００６５】
リーダライタ装置２０のリーダライタ通信部２３は、携帯端末３０から電子決済完了を示す情報を受信すると、受信した電子決済完了を示す情報を決済アプリケーション部２１に出力する。決済アプリケーション部２１は、決済アプリケーションを終了させて、情報端末１０に電子決済完了を示す情報を送信する（ステップＳ２１２、及びステップＳ６１６）。
【００６６】
情報端末１０の電子決済部１３は、リーダライタ装置２０から電子決済完了を示す情報を受信すると、当該電子決済を一意に識別する取引決済ＩＤ「Ｔ０７０４５３２１」を割当てる。また、電子決済部１３は、割当てた取引決済ＩＤ「Ｔ０７０４５３２１」と、適用したクーポンＩＤ「Ｃ００１２３」、割引後取引決済金額「７００」、及び割引金額「３００」とを売上げ明細情報として、売上げ明細記憶部１４に書き込み、記憶させる。続いて、電子決済部１３は、ＦＳＰ管理部１２に電子決済完了を示す情報を出力する。ＦＳＰ管理部１２は、電子決済完了を示す情報が入力されると、決済指示入出力部１１に商品ＩＤ「１２３４５」に対する電子決済が完了したことを出力させる（ステップＳ１０６）。
【００６７】
以上のように、電子クーポン決済システム１では、携帯端末３０から読み出した電子クーポンのクーポンＩＤに基づいて、クーポン管理サーバ４０が外部イベントサーバ５０のイベント情報を読み出して、電子クーポンの特典内容情報を動的に確定（選択）することが可能となる。
情報端末１０及びリーダライタ装置２０は、選択された電子クーポンの特典内容情報に応じて、電子決済を行う。
【００６８】
なお、本第１実施形態では、クーポンＩＤマスタ記憶部４２に記憶される電子クーポン情報は、クーポンＩＤ、クーポン情報、及び割引方式ＩＤとしたが、割引対象商品ＩＤを加え、特定の商品の購入に対して電子クーポンの特典内容情報を処理してもよい。この場合、情報端末１０は、商品ＩＤを含む電子クーポンの特典内容情報を確定する要求をクーポン管理サーバ４０に送信する。更に、処理手順選択部４１が電子クーポンの特典内容情報を確定（選択）する処理方法を読み出すとき、受信した商品ＩＤ及びクーポンＩＤに対応する割引方式ＩＤを読み出し、読み出した割引方式ＩＤに対応した処理方法を選択手順実行部４５に出力することになる。
【００６９】
なお、新たな電子クーポンの配布は、クーポン管理サーバ４０で電子クーポンのクーポンＩＤ及びクーポン情報を読み出すのではなく、予め配布する電子クーポンのクーポンＩＤ及びクーポン情報をリーダライタ装置２０に記憶させておき、電子クーポンが利用される際に、リーダライタ装置２０が、当該記憶された電子クーポンのクーポンＩＤ及びクーポン情報を携帯端末３０に送信して、記憶させることで配布を行ってもよい。
【００７０】
（第２実施形態）
第２実施形態では、電子クーポンの特典内容情報を外部イベントサーバ５０に記憶される気象情報により選択する電子クーポン決済システム１について説明する。情報端末１０、リーダライタ装置２０、携帯端末３０、及び外部イベントサーバ５０は、第１実施形態と同じ内部構成を有している。クーポン管理サーバ４０は、第１実施形態の内部構成に加え、情報端末１０が設置されている地域情報を記憶する情報端末所在記憶部４７を備える。情報端末所在記憶部４７には、情報端末ＩＤごとに当該情報端末ＩＤが示す情報端末１０が設置されている地域情報が対応付けて記憶される。この地域情報とは、例えば、県や、市町村などの地域を示す情報である。なお、外部イベントサーバ５０は、第１実施形態と同じ内部構成を有しているが、イベント情報記憶部５２に記憶される情報は、地域情報と、当該地域情報で示される地域の気象情報とが対応付けられた情報である。また、イベント情報記憶部５２に記憶される気象情報は、気象状態の変化に応じて更新される。気象情報の更新は、例えば、人が気象情報を更新してもよいし、気象情報を配信する装置から定期的に受信して更新してもよい。
【００７１】
割引率記憶部４６には、気象情報ごとに割引率が対応付けられて記憶される。例えば、「晴れ」と「５％割引」とが対応付けられ、「雨」と「２０％割引」とが対応付けられる。
割引方式記憶部４４に記憶された処理手順情報としては、選択手順実行部４５が、情報端末１０から受信した情報端末ＩＤに対応する地域情報を情報端末所在記憶部４７から読み出し、読み出した地域情報の気象情報の問合せ要求を外部イベントサーバ５０に送信する。更に、選択手順実行部４５が、当該送信の応答として受信する気象情報に対応付けられた割引率を割引率記憶部４６から読出し、読み出した割引率を電子クーポンの特典内容情報として確定する、ことである。
【００７２】
第２実施形態のリーダライタ装置２０の処理は、第１実施形態のリーダライタ装置２０の処理、すなわち、ステップＳ２０１からステップＳ２１２までの処理と同じである。また、第２実施形態の携帯端末３０の処理は、第１実施形態の携帯端末３０の処理、すなわち、ステップＳ３０１からステップＳ３０４までの処理と同じである。
第２実施形態の情報端末１０では、第１実施形態における電子クーポンの特典内容情報の確定要求を中継する処理に代わり、ＦＳＰ管理部１２が、リーダライタ装置２０から受信した電子クーポンの特典内容情報の確定を要求する情報と共に、情報端末ＩＤ記憶部１６から読み出した情報端末ＩＤをクーポン管理サーバ４０に送信して、中継する。
第２実施形態における情報端末１０の処理は、第１実施形態における電子クーポンの特典内容情報の確定要求を中継する処理が異なる。他のステップの処理は、第１実施形態の情報端末１０の処理と同じである。
【００７３】
第２実施形態のクーポン管理サーバ４０では、第１実施形態のステップＳ４０３の処理に代わり、選択手順実行部４５が、処理手順選択部４１から入力された処理手順情報に従い、情報端末１０から入力された情報端末ＩＤに対応する地域情報を情報端末所在記憶部４７から読み出す。更に、選択手順実行部４５が、読み出した地域情報の気象情報の問合せ要求をイベント情報の問合せ要求として、ネットワーク６０を介して、外部イベントサーバ５０に送信する（ステップＳ４０３ａ）。
また、第２実施形態のクーポン管理サーバ４０では、第１実施形態のステップＳ４０４の処理に代わり、選択手順実行部４５が、送信した問合せ要求の応答として気象情報を外部イベントサーバ５０から受信する（ステップＳ４０４ａ）。
【００７４】
また、第２実施形態のクーポン管理サーバ４０では、第１実施形態のステップＳ４０５の処理に代わり、選択手順実行部４５が、受信した気象情報に対応する割引率を割引率記憶部４６から読出し、読み出した割引率を電子クーポンの特典内容情報とする（ステップＳ４０５ａ）。
第２実施形態におけるクーポン管理サーバ４０の処理は、第１実施形態とステップＳ４０３からステップＳ４０５までの処理が異なり、他のステップの処理は、第１実施形態のクーポン管理サーバ４０の処理と同じである。
【００７５】
上述のように電子クーポン決済システム１を構成することで、気象情報に基づいて電子クーポンの特典内容情報を動的に変更することが可能となる。
このように、気象情報により、割引率を動的に変更させることで、雨などの悪い閑散な時期に、顧客の来店を促して、顧客負荷分散をすることが可能となる。
【００７６】
なお、電子クーポンの特典内容情報の選択処理手順として、スポーツなどのゲーム結果に応じて電子クーポンの特典内容情報を選択する手順としてもよい。その場合、クーポン管理サーバ４０の情報端末所在記憶部４７は、携帯端末ＩＤごとに顧客がひいき又は応援しているスポーツのチームなどの情報が予め記録される。イベント情報記憶部５２には、気象情報に代わり、チームごとの勝敗が記憶される。また、割引率記憶部４６には、勝敗結果に対応する割引率が記憶される。選択手順実行部４５は、情報端末１０から送信される携帯端末ＩＤに対応したチームの情報を情報端末所在記憶部４７から読出して、読み出したチームの勝敗結果を外部イベントサーバ５０に問合せ要求を送信して、当該送信の応答として受信するチームの勝敗結果を受信する。更に、選択手順実行部４５は、受信したチームの勝敗結果に対応する割引率を割引率記憶部４６から読み出す。
これにより、電子クーポンの特典内容情報は、勝敗結果に応じて選択されることになる。例えば、電子クーポンの特典内容情報としては、携帯端末３０ごとに予め定められたチームが勝利したとき２０％割引、負けたときは５％割引とする。また、外部イベントサーバ５０のイベント情報記憶部５２に記録される勝敗情報は、電子クーポンの特典内容情報の選択に用いられる勝敗が決まった時点で更新されることになる。
このように、スポーツなどのゲームと連動することにより、特定のスポーツやチームに興味を持つ顧客に積極的に電子クーポンに興味を持たせることが可能となる。
【００７７】
なお、電子クーポンの特典内容情報の選択処理手順として、電子クーポンを利用に対して無作為に特典内容情報を割当て、電子クーポンの特典内容情報を選択する手順としてもよい。例えば、電子クーポンの特典内容情報としては、２０人に１人は無料（１００％割引）などである。この場合、外部イベントサーバ５０の情報取得部５１は、イベント情報記憶部５２からイベント情報として無料の電子クーポンの特典内容情報が割当てられる当選情報の数、及びイベント情報の問合せ要求の数を読出し、クーポン管理サーバ４０からの問合せ要求に対して２０人に１人が無料（１００％割引）の特典内容情報が割当てられる演算を行う。又は、予め定めた確率に応じて、問合せ要求に対して動的にランクを返答する。割引率記憶部４６には、ランクに応じた割引率、例えば、１００％割引、が記憶されることになる。
このように、電子クーポンの特典内容情報を選択することで、娯楽性のある電子クーポンを提供して、顧客の興味を引き、来店を促すことが可能となる。
【００７８】
なお、電子クーポンの特典内容情報の選択処理手順として、選択手順実行部４５が、曜日や日付に対応付けられたランクをイベント情報として問合せ要求を外部イベントサーバ５０に送信して、送信の応答としてランクを受信する。選択手順実行部４５は、割引率記憶部４６に記憶されたランクに対応付けられた割引率を読み出すとしてもよい。すなわち、曜日や日付に基づいて電子クーポンの特典内容情報を選択する処理手順としてもよい。例えば、水曜日は１０％割引などである。この場合、外部イベントサーバ５０に対する問合せ要求に対する応答として、曜日や日付に対応付けられたランクが得られ、電子クーポンの特典内容情報を選択することになる。イベント情報記憶部５２には、会員管理マスタテーブルが記憶される代わりに、曜日や日付ごとに対応したランク情報を記憶し、割引率記憶部４６は、ランク情報に対応した割引率が記録されることになる。また、外部イベントサーバ５０のイベント情報記憶部５２に記憶される対応付けは、曜日や日付に応じた店舗の売上げなど販売状況に応じて変更される。
このように、電子クーポンの特典内容情報を動的に変更することで、顧客の来店時期を分散させることが可能になり、閑散な時間帯及び時期に顧客の来店を促すことが可能となる。
【００７９】
また、電子クーポンの特典内容情報の選択手順として、上述した特典内容情報の選択手順を組合わせて用いてもよい。組合わせた例としては、毎週月曜日は、先着５００名まで１０％割引などを電子クーポンの特典内容情報とすることになる。
【００８０】
また、電子クーポンの特典内容情報としては、決済における割引を示す情報ではなく、新たな電子クーポンの配布自体を特典内容情報としてもよい。その場合、割引率記憶部４６には、配布される電子クーポンのクーポンＩＤが特典内容情報として記憶される。選択手順実行部４５は、特典内容としての電子クーポンのクーポンＩＤに対応する電子クーポン情報をクーポンＩＤマスタ記憶部４２から読出して、情報端末１０を経由してリーダライタ装置２０に送信する。リーダライタ装置２０は、受信した電子クーポンのクーポンＩＤ及びクーポン情報を、携帯端末３０に送信して、記憶させることで配布をすることになる。
【００８１】
更に、上述の電子クーポンの配布を特典内容情報とする電子クーポン決済システム１において、電子決済と連動せずに、情報端末１０とリーダライタ装置２０とをＭＭＫ（Multi Media Kiosk）端末として設置し、ＭＭＫ端末と携帯端末３０とを通信させることで、電子クーポンの配布を受けられるシステムとしてもよい。例えば、情報端末ＩＤと情報端末１０が設置される地域とを対応付けた情報が記憶される記憶部を設け、地域ごとに電子クーポンの特典内容情報として配布される電子クーポンのクーポンＩＤが当該記憶部に記憶される。このようなシステムでは、顧客が特定の地域、例えば観光地など、に足を運ぶことに対する動機付けに用いることが可能となる。
【００８２】
なお、第１実施形態及び第２実施形態においては、情報端末１０とリーダライタ装置２０は、異なる端末として説明したが、一体の電子クーポン処理端末７０として構成してもよい。また、クーポン管理サーバ４０と外部イベントサーバ５０は、異なるサーバとして説明したが、同一のサーバとしてもよい。そのとき、選択手順実行部４５と情報取得部５１を個別の機能部として設けずに１つの機能部としてもよい。
【００８３】
なお、本発明に記載の電子クーポン処理部は、ＦＳＰ管理部１２に対応する。また、本発明に記載の電子クーポン中継部は、ＦＳＰアプリケーション部２２に対応する。また、本発明に記載の処理手順記憶部は、割引方式記憶部４４に対応する。
【００８４】
上述の情報端末１０、リーダライタ装置２０、携帯端末３０、及びクーポン管理サーバ４０は内部に、コンピュータシステムを有している。そして、上述した電子クーポン決済システム１の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【図面の簡単な説明】
【００８５】
【図１】第１実施形態による電子クーポン決済システムの概略、及び電子クーポン決済システムを構成する携帯端末、リーダライタ装置、情報端末、クーポン管理サーバ、及び外部イベントサーバの接続と内部構成を示すブロック図である。
【図２】第１実施形態における携帯端末に記憶される情報の概略図である。
【図３】第１実施形態における情報端末に記憶される情報の概略図である。
【図４】第１実施形態におけるクーポン管理サーバに記憶される情報の概略図である。
【図５】第１実施形態における外部イベントサーバに記憶される情報の概略図である。
【図６】第１実施形態におけるクーポン管理サーバの処理を示すフローチャートである。
【図７】第１実施形態における情報端末の処理を示すフローチャートである。
【図８】第１実施形態におけるリーダライタ装置の処理を示すフローチャートである。
【図９】第１実施形態における携帯端末の処理を示すフローチャートである。
【図１０】第１実施形態における電子クーポン決済システムの処理を示すシーケンス図である。
【図１１】第１実施形態における電子クーポン決済システムの処理を示すシーケンス図である。
【図１２】第１実施形態における電子クーポン決済システムの処理を示すシーケンス図である。
【図１３】第１実施形態における電子クーポン決済システムの処理を示すシーケンス図である。
【符号の説明】
【００８６】
１…電子クーポン決済システム
１０…情報端末、１１…決済指示入出力部、１２…ＦＳＰ管理部
１３…電子決済部、１４…売上げ明細記憶部、１５…商品マスタ記憶部
１６…情報端末ＩＤ記憶部
２０…リーダライタ装置、２１…決済アプリケーション部
２２…ＦＳＰアプリケーション部、２３…リーダライタ通信部
３０…携帯端末、３１…携帯端末通信部、３２…クーポン記憶部
３３…携帯端末ＩＤ記憶部、３４…携帯端末決済部
４０…クーポン管理サーバ、４１…処理手順選択部、４２…クーポンＩＤマスタ記憶部
４３…携帯端末ＩＤマスタ記憶部、４４…割引方式記憶部、４５…選択手順実行部
４６…割引率記憶部、４７…情報端末所在記憶部
５０…外部イベントサーバ、５１…情報取得部、５２…イベント情報記憶部
６０…ネットワーク
７０…電子クーポン処理端末
【図１】
0005156454.tif 000002
【図２】
0005156454.tif 000003
【図３】
0005156454.tif 000004
【図４】
0005156454.tif 000005
【図５】
0005156454.tif 000006
【図６】
0005156454.tif 000007
【図７】
0005156454.tif 000008
【図８】
0005156454.tif 000009
【図９】
0005156454.tif 000010
【図１０】
0005156454.tif 000011
【図１１】
0005156454.tif 000012
【図１２】
0005156454.tif 000013
【図１３】
0005156454.tif 000014